(57)【要約】【課題】演奏途中の得点経過を表示しながら歌唱者に最後まで歌い切る意思を持続させて、カラオケに対する向上心や挑戦心をかき立てることができるカラオケ採点装置を提供する。【解決手段】カラオケ楽曲の演奏中に歌唱の巧拙を採点して表示するカラオケ採点装置であって、カラオケ楽曲中の採点区間ごとに所定点数を満点とする得点情報を逐次出力する区間別採点処理と、採点区間ごとに逐次出力される得点情報の平均値を逐次計算する平均点計算処理と、カラオケ楽曲中の採点済みの採点区間と未採点の採点区間とを認知する進行状況認知処理と、逐次計算される最新の平均値に基づいて、未採点の採点区間の得点情報をゼロと見なして歌唱中止最終得点を逐次計算する最終得点計算処理と、逐次計算される最新の平均値と歌唱中止最終得点を逐次表示する得点表示処理とを行う。【選択図】    図１７
2005134782.tif 000002
【特許請求の範囲】
【請求項１】
カラオケ楽曲の演奏中に歌唱の巧拙を採点して表示するカラオケ採点装置であって、区間別採点処理と、平均点計算処理と、進行状況認知処理と、最終得点計算処理と、得点表示処理とを行い、
区間別採点処理は、カラオケ楽曲中の採点区間ごとに所定点数を満点とする得点情報を逐次出力し、
平均点計算処理は、採点区間ごとに逐次出力される得点情報の平均値を逐次計算し、
進行状況認知処理は、カラオケ楽曲中の採点済みの採点区間と未採点の採点区間とを認知し、
最終得点計算処理は、逐次計算される最新の平均値に基づいて、未採点の採点区間の得点情報をゼロと見なして歌唱中止最終得点を逐次計算し、
得点表示処理は、逐次計算される最新の平均値と歌唱中止最終得点を逐次表示する
カラオケ採点装置。
【請求項２】
カラオケ楽曲の演奏が途中で中止された場合、当該カラオケ楽曲と中止時点における歌唱中止最終得点とを対応付けして出力する請求項１に記載のカラオケ採点装置。
【発明の詳細な説明】
【技術分野】
【０００１】
この発明は、カラオケ楽曲の演奏中に歌唱の巧拙を採点して表示するカラオケ採点装置に関し、具体的には、歌唱中の経過得点を表示できるカラオケ採点装置に関する。
【背景技術】
【０００２】
よく知られているようにカラオケ装置にはカラオケ採点装置が付帯している。この装置は、マイクロホンより入力した歌唱者の歌声と伴奏音楽の主旋律とを比較して採点する。具体的には、１小節毎、所定小節数毎、あるいは楽曲に設定されているフレーズ毎など、適宜な区間を採点区間として、この採点区間ごとの採点結果として例えば１００点満点の得点を出力する。そして、伴奏音楽の再生開始から終了まで全ての採点区間における得点の平均値を計算し、最終的な採点結果として得点を表示する。また、演奏途中に採点区間ごとの得点をその都度平均して経過得点を計算し、その経過得点を表示するカラオケ採点装置もある（例えば、特許文献１参照）。
【０００３】
ところで、周知の通信カラオケシステムの演奏端末となるカラオケ装置は、通信ネットワークを介して接続したホスト装置からカラオケ伴奏音楽と歌詞の生成起源となるカラオケデータをダウンロードしたり、カラオケ装置自身の稼働ログをホスト装置にアップロードしたりしている。そこで、歌唱採点機能が利用されるとその利用機会に算出した得点をホスト装置に送信し、ホスト装置は各地のカラオケ装置から歌唱得点を収集して得点ランキングなどにまとめてその収集情報を各地のカラオケ装置に配信し、カラオケ装置は、配信された情報を適宜に表示出力して利用者に提示する。
【０００４】
この通信カラオケシステムのインフラとカラオケ採点装置を活用すれば、全国レベルで他の歌唱者と歌唱得点を競い合えるサービス（歌唱コンテスト）を提供することができる通信カラオケシステムがある。例えば、以下の特許文献２に記載された通信カラオケシステムでは、カラオケ装置が利用者を特定するための利用者ＩＤを取得し、誰が何を歌って何点取ったのかをホスト装置に送信するようになっている。そして、ホスト装置はその送信情報に基づいて月間あるいは年間など所定期間ごとに得点ランキングを作成する。それによって、例えば、このランキングをカラオケ装置に配信し、利用者は、カラオケ装置に得点ランキングを表示させ、自身がランキング中のどの位置にいるのかを知ることができる。また、カラオケ事業者が週や月単位など、所定期間の区切りごとに得点ランキングの上位利用者に賞状や賞品などを送付するサービスを提供することもできる。
【特許文献１】特開平１１−９５７７５号公報
【特許文献２】特許３１３６２７２号公報
【発明の開示】
【発明が解決しようとする課題】
【０００５】
カラオケ装置には利用者の指示に従って演奏を途中で中止する機能がある。経過得点を表示するカラオケ採点装置では、演奏中に高得点が得られたときに演奏を中止させると、その高得点が最終的な採点結果として得られてしまう。したがって、歌唱コンテストに参加するためにホスト装置に送信する得点として、この経過得点を送信することもできる。そのため、賞状や賞品が掛かっているとなれば、歌唱者は、その高得点の状態で演奏を中止させたいという誘惑にかられる。これでは、最後まで歌った人と途中の高得点状態で演奏を中止させた人とがランキングを競うことになり不公平である。
【０００６】
また、歌唱コンテストを実施しなくても、演奏途中の高得点を採点結果とすることは、最後まで歌唱してその巧拙を知るというカラオケ採点装置本来の利用法にそぐわない。本来、カラオケ採点装置は、最後まで歌ったときの採点結果を知ることで、歌唱者が歌唱上達への意欲をかき立て、カラオケ本来の歌唱する楽しみを向上させるためのものである。歌唱を途中でやめてしまって高得点を得たとしても向上心や達成感は到底得られない。
【課題を解決するための手段】
【０００７】
上記課題を解決するために本発明を創作した。本発明は、演奏途中の得点経過を表示しながら歌唱者に最後まで歌い切る意思を持続させ、カラオケに対する向上心や挑戦心をかき立てることができるカラオケ採点装置を提供することを目的としている。
【０００８】
本発明は、次の要件（１）〜（７）を備えている。  
（１）カラオケ楽曲の演奏中に歌唱の巧拙を採点して表示するカラオケ採点装置であること。  
（２）区間別採点処理と、平均点計算処理と、進行状況認知処理と、最終得点計算処理と、得点表示処理とを行うこと。  
（３）区間別採点処理は、カラオケ楽曲中の採点区間ごとに所定点数を満点とする得点情報を逐次出力すること。  
（４）平均点計算処理は、採点区間ごとに逐次出力される得点情報の平均値を逐次計算すること。  
（５）進行状況認知処理は、カラオケ楽曲中の採点済みの採点区間と未採点の採点区間とを認知すること。  
（６）最終得点計算処理は、逐次計算される最新の平均値に基づいて、未採点の採点区間の得点情報をゼロと見なして歌唱中止最終得点を逐次計算すること。  
（７）得点表示処理は、逐次計算される最新の平均値と歌唱中止最終得点を逐次表示すること。
【０００９】
また、カラオケ楽曲の演奏が途中で中止された場合、当該カラオケ楽曲と中止時点における歌唱中止最終得点とを対応付けして出力するカラオケ採点装置とすることもできる。
【発明の効果】
【００１０】
本発明のカラオケ採点装置によれば、歌唱を途中でやめることなく、最後まで歌唱する意思を持続させ、カラオケに対する向上心や挑戦心をかき立てることができる。
【発明を実施するための最良の形態】
【００１１】
＝＝＝ネットワーク構成＝＝＝
図１は本発明の実施例におけるカラオケ採点装置を実装したカラオケ装置を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０にはカラオケ装置１やそれに付帯する機器が設置され、カラオケ装置１はＶＰＮ７０を介してホスト装置９０と通信する。
【００１２】
カラオケ装置１には電子目次本３０と呼ばれる楽曲検索機能を備えたリモコン装置が付帯している。この電子目次本３０が赤外線信号によりカラオケ装置１に演奏予約コマンドを送信する。また、この電子目次本３０は内蔵２次電池により動作し、その２次電池を充電するための充電架台５０が用意されている。この架台５０はＲＳ２３２Ｃなどの所定規格の通信インタフェースを備え、カラオケ装置１が装備する同規格の通信インタフェースと相互に接続されている。そして、電子目次本３０がこの充電架台５０に装着されると、電子目次本３０とカラオケ装置１とがこの充電架台５０を介して通信するように構成されている。
【００１３】
＝＝＝カラオケ装置の基本的な構成と動作＝＝＝
図２はカラオケ装置１の機能ブロック構成である。また図３（Ａ）と（Ｂ）に電子目次本３０の外観と機能ブロック構成を示した。カラオケ装置１は、周知の通信カラオケシステムの演奏端末とほぼ同様のハードウエア構成となっている。中央制御部１１は、各周辺構成部を制御してカラオケ装置１を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１４】
ホスト装置９０は、カラオケ装置１に向けて新譜楽曲についてのカラオケデータ、台本データ、目次情報などを適時に配信したり、カラオケ装置１にて随時収拾される稼働ログなどを集信したりする。中央制御部１１は、ネットワークインタフェース２３を介して店舗ＬＡＮ１１０およびＶＰＮ７０に接続し、ホスト装置９０と通信する。そして、ホスト装置９０から送付されたカラオケデータを受け取ってカラオケデータベースの内容を更新したり、カラオケ装置１側にて収集される稼働ログなどの各種情報をホスト装置に送信したりする。
【００１５】
一方、電子目次本３０は、液晶ディスプレイ（ＬＣＤ）３１とタッチセンサ３２とを積層したタッチパネル３３を主体としたユーザインタフェースを備え、内蔵するフラッシュメモリ３５にはカラオケ装置１に蓄積されているものと同様の目次情報や、タッチパネル３３に表示される各種画像情報などが蓄積されている。リモコン制御部３４は、ＣＰＵ、ＲＡＭ、ＲＯＭ、ビデオＲＡＭなどを含み、タッチパネル３３への入力情報に基づいて各種画像情報や文字情報をビデオＲＡＭにビットマップ展開し、そのビットマップデータに基づいてＬＣＤドライバ３６を駆動してタッチパネル３３に適宜な情報を表示する。また、フラッシュメモリ３５に蓄積されている目次情報を楽曲索引データベースとして管理している。
【００１６】
リモコン制御部３４は、タッチパネル３３を介した利用者との対話を通じて目次情報の断片をクエリーとして受け付け、該当するカラオケ楽曲の目次情報を楽曲索引データベースより取り出して提示する。そして、電子目次本３０において、最終的にカラオケ楽曲が１曲に特定され、その楽曲を演奏予約する旨の利用者入力がなされると、リモコン制御部３４は、楽曲番号を含む演奏予約コマンドのコードを生成してこれをＬＥＤドライバ３７に転送する。ＬＥＤドライバ３７は、ＬＥＤ３８を駆動してこのコードを含む赤外線信号を送出させる。
【００１７】
カラオケ装置１の操作制御部１３は、演奏予約コマンドのコードを受光部１５を介して受け取ると、そのコードを中央制御部１１に転送する。中央制御部１１は、そのコマンド中の楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１８】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１９】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００２０】
またカラオケ装置１はカラオケ採点装置を実装している。歌唱採点部２３は実質的にカラオケ採点装置本体であり、中央制御部１１から転送される伴奏音楽データ中の主旋律のピッチ（ピッチ基準値）と、マイクロホン２２から入力される歌唱音声信号とに基づいて歌唱の巧拙を採点する。中央制御部１１は、歌唱採点をする旨の利用者入力を受け付けると、演奏楽曲のカラオケデータのピッチ基準値を逐次歌唱採点部２３に転送していく。歌唱採点部２３は、マイクロホン２２から入力される歌唱音声信号をサンプリングしてデジタル歌声データに変換し、この歌声データから歌声ピッチを抽出する。そして、ピッチ基準値と歌声ピッチとを比較し、その比較結果に基づく得点を、伴奏音楽データ中にあらかじめ設定されている歌唱採点区間ごとに１００点満点で逐次出力していく。本実施例では、各採点区間について、伴奏音楽データにおける演奏時系列中に区間の初めと終わりとを示す符号が対応付けされて、採点区間が設定されている。すなわち、演奏時系列に添って伴奏音を記述したＭＩＤＩデータにおいて、特定の伴奏音に採点区間の初め、あるいは終わりの旨の情報が記述されている。中央制御部１１は、楽曲演奏中に逐次出力される１００点満点の得点の平均点を経過得点としてディスプレイ１８に表示させ、演奏終了後など全採点区間についての演奏が終わると、その時点の経過得点を最終得点としてディスプレイ１８に表示する。
【００２１】
＝＝＝歌唱コンテスト機能の概略＝＝＝
カラオケ装置１は、歌唱採点部２３によるカラオケ採点機能とネットワーク通信機能とを連動させて、ホスト装置９０に集計されて用意されている最新の得点ランキングを提示し、歌唱中に逐次変化する経過得点をそのランキング表示に反映させる歌唱コンテスト機能を備えている。それによって歌唱者は、自身の歌唱巧拙を最新の全国規模の得点ランキングと比較することができる。また、ランキング歌唱中に順位が上がったり下がったりすることで、緊張感が味わえ、ゲーム感覚で歌唱コンテストに参加できる効果もある。
【００２２】
＝＝＝ホスト装置＝＝＝
本実施例において、ホスト装置９０は、会員登録されている利用者を会員ＩＤにより識別管理し、各会員ＩＤにその会員についての個人情報（氏名・連絡先・顔写真など）・演奏予約履歴・歌唱採点履歴・個人曲目帳（十八番など、よく歌う楽曲についての楽曲番号集）などを対応付けして記憶・管理している。なお、会員ＩＤに対応付けされた情報の記憶領域をＭｙ ＢＯＸと称し、そのＭｙ ＢＯＸにある情報を利用したサービスをＭｙ ＢＯＸサービスと称することとする。
【００２３】
またホスト装置９０は、楽曲番号ごとに最終得点をその点数順に並べ替えた情報を得点ランキング情報として記録している。各地のカラオケ装置１は、会員が歌唱採点機能を使用して歌唱すると、この会員ＩＤとそのときの最終得点と演奏楽曲とを歌唱得点情報としてホスト装置９０に送信することとしている。ホスト装置９０は、カラオケ装置１から送付されてくる歌唱得点情報を受け取ると、該当する楽曲についての得点ランキング情報を更新するとともに、該当する会員のＭＹ ＢＯＸに格納されている歌唱得点履歴を更新する。
【００２４】
＝＝＝会員資格＝＝＝
歌唱コンテストを実施するためには利用者がホスト装置９０に会員登録されている必要がある。そして本実施例では、非接触型のＩＣカードを非会員の利用者に付与し、そのＩＣカードに記憶されている固有の識別番号を会員ＩＤとしてホスト装置９０に登録する。電子目次本３０は、このＩＣカード用のデータ読取機能を備え、利用者がＩＣカードを電子目次本３０のアンテナ部４５にかざすとカードのＩＤを取得するとともに、タッチパネル３３を介して個人情報の入力を受けつけ、取得した会員ＩＤに個人情報を対応付けして記憶する。利用者が電子目次本３０に個人情報を入力した後、電子目次本３０を充電架台５０に装着すると、会員ＩＤと個人情報とが充電架台５０を経由してカラオケ装置１に転送される。カラオケ装置１はＶＰＮ７０を介してホスト装置９０にこの転送された情報を送信する。ホスト装置９０は、送付されてきた会員ＩＤ用にＭＹ ＢＯＸを作成し、このＭＹ ＢＯＸに個人情報を格納する。なお本実施例では、個人情報として、少なくとも利用者名（氏名、ニックネームなど）と、利用者の顔写真など利用者を特定するための画像データ（以下、個人識別標章と称す）を登録することとしている。
【００２５】
＝＝＝利用者登録手順＝＝＝
本実施例では現にカラオケ装置１を使用している人を会員／非会員を問わず利用者としてカラオケ装置１に一時登録し、カラオケ装置１は各利用者の識別符号（個人識別符号）と個人識別標章とを対応付けしてこれをメンバー表として管理する。またメンバー表は、電子目次本３０側で作成されてこれをカラオケ装置１に転送することとしている。なお個人識別標章は、電子目次本３０にあらかじめ用意されている動物などを模したキャラクタ画像の顔の部分をフレーム枠とし、そのフレームの枠内に利用者自身の顔写真などをはめ込んだ画像としている。そして電子目次本３０には、その標章となる画像を撮影するためのデジタルカメラ４４が搭載され、シャッタボタンが筐体の適宜位置に配設されている。
【００２６】
図４〜図８に電子目次本３０における利用者登録手順を画面遷移図によって示した。電子目次本３０を起動すると、この目次本３０が備える各種機能を呼び出すためのトップ画面が表示される（図４：１２０）。ここでは、トップ画面１２０中の「メンバー追加」ボタン１２１を指示する。リモコン制御部３４は、この指示操作に応動してユニークな個人識別符号を発生する。本実施例では「メンバー追加」ボタン１２１の指示機会ごとに連番で個人識別符号を発生する。そして、利用者登録開始画面（図５：１３０）を表示する。この画面１３０には、利用者登録手順の説明１３１と、あらかじめメモリに用意されている数種類のフレーム画像の一覧１３２とが含まれている。
【００２７】
利用者がこの利用者登録開始画面１３０中のフレーム一覧１３２から希望のフレームを選択すると、デジタルカメラ４４の撮影画像を含む撮影画面（図６：１４０）が表示される。この画面１４０において、撮影画像が子画面１４１に表示されるとともに、この画面１４１に先に選択したフレーム画像の枠と同じ形状の輪郭線（ガイドフレーム）１４２が表示される。利用者は、この状態でデジタルカメラ４４を被写体に向け、枠内にはめ込みたい部分がこのガイドフレーム１４２内に納まるように電子目次本３０本体を前後左右に動かして構図を決め、シャッタボタンを押す。リモコン制御部３４は、この撮影操作に応動してデジタルカメラ４４の撮影画像からガイドフレーム１４２内の画像を切り取り、その切り取り画像を先に選択されたフレーム画像の枠内にはめ込む画像処理を行う。そして、このはめ込み画像を個人別識別標章としてフラッシュメモリ３５に記憶する。
【００２８】
電子目次本３０は、個人別識別標章が作成されると、次に名前の入力案内とともに文字パレットを表示する（図７：１５０）。利用者がこの文字パレットを使用して自身の氏名やニックネームなどの利用者名を文字入力すると、利用者登録画面（図８：１６０）が表示される。この画面には枠内に撮影画像がはめ込まれた状態のフレーム画像１６１とこの画像を個人識別標章として登録するためのボタン１６２とが含まれている。リモコン制御部３４は、この画面にて「登録」ボタン１６２が指示されると、先に発生した個人識別符号と、作成した個人識別標章と、入力された利用者名とを対応付けし、これをメンバー表に記入する。
【００２９】
＝＝＝会員登録＝＝＝
利用者登録と一緒に会員登録もしたい利用者は、上記利用者登録の手順に先立ってＩＣカードのＩＤを電子目次本に読み込ます操作を行う。図９、図１０にその操作手順を画面遷移図によって示した。まず、トップ画面１２０の「ＭＹ ＢＯＸ」ボタン１２２を指示し、ＭＹ ＢＯＸサービスの一覧を含むＭＹ ＢＯＸメニュー画面を表示させる（図９：１７０）。利用者がこの一覧にある「会員登録」ボタン１７１を指示するとカードＩＤの登録を促す記載を含んだ案内画面が表示される（図１０：１８０）。利用者がこの案内に従ってＩＣカードをアンテナ部４５に接触させると、カードインタフェース４６は、アンテナ部４５を介して受け取った変調電波を復調し、その復調信号に多重化されているカードＩＤのコードを抽出してそのコードをリモコン制御部３４に転送する。リモコン制御部３４は、カードＩＤのコードを受け取ると個人識別符号を発行し、カードＩＤと個人識別符号とを対応付けして内部のＲＡＭなどに一時記憶する。そして、先の利用者登録開始画面１３０を表示し、以後は上述の利用者登録手順に従って、個人識別標章や利用者名の登録を受け付ける。図１１にメンバー表の概略構造を示した。２桁の個人識別符号に個人識別標章の画像ファイル名と利用者名とが対応付けされ、会員登録した利用者についてはカードＩＤも対応付けされている。
【００３０】
利用者は、メンバー表に利用者全ての情報を登録したら、電子目次本３０を充電架台５０に装着する。電子目次本３０が充電架台５０に装着されると、充電架台５０は電源入力端子４２を介して電子目次本３０側へ電源供給して２次電池４３を充電させるとともに、通信インタフェース（ＩＦ）用端子４０と接続して、電子目次本３０の通信ＩＦ３９とカラオケ装置１の通信インタフェース２４との通信を仲介する。それによって、メンバー表が電子目次本３０からカラオケ装置１に転送される。カラオケ装置１の中央制御部１１、受け取ったメンバー表をハードディスク装置１２など所定の記憶部に格納する。また、メンバー表にカードＩＤが対応付けされている場合には、そのカードＩＤと利用者名と個人識別標章とをホスト装置に送信する。ホスト装置９０は、そのカードＩＤを会員ＩＤとして新規のＭＹ ＢＯＸを開設する。
【００３１】
なお、事前に会員登録が済んでいる利用者については、ＭＹ ＢＯＸサービスメニュー画面１７０中の会員認証ボタン１７２を指示し、ＩＣカードをかざすだけでよい。電子目次本３０は、このＩＣカードのＩＤに新規に発行した利用者ＩＤを対応付けする。そしてカラオケ装置１にはこの対応付けだけを転送する。カラオケ装置１はカードＩＤをホスト装置９０に照会して該当する会員の利用者名と個人識別標章とを送付してもらう。カラオケ装置１は、送付されてきた利用者名と個人識別標章とを電子目次本３０に転送するとともに、自身のメンバー表に書き込む。電子目次本３０側でも転送されてきた利用者名と個人識別標章とを該当の利用者ＩＤに対応付けして記憶する。
【００３２】
＝＝＝歌唱コンテストの参加申し込み＝＝＝
図１２〜図１４に歌唱コンテンストへの参加申し込み手順の概略を示した。利用者が自身の歌唱時に歌唱コンテストを実施したい場合、電子目次本３０のトップページ１１０のＭＹ ＢＯＸボタンを指示してＭＹ ＢＯＸサービスメニュー画面１７０を表示させる。このメニューから歌唱コンテストボタン１７３を指示すると、中央制御部１１は、その指示を受け付けた旨の情報を一時記憶し、トップページ１１０に画面遷移させる。利用者がトップページ１１０から適宜な楽曲選曲方式を選択し、最終的に１曲を特定すると、その楽曲の詳細情報が記載された画面（図１２：１９０）が表示される。この画面の「予約」ボタン１９１を指示すると、この画面１９０中にメンバーの特定を促す小画面（図１３：１９２）がポップアップ表示される。本実施例では、メンバー表に登録されている利用者の個人識別標章が選択可能に一覧表示される。このとき、会員以外の標章が選択されないように、会員ＩＤが対応付けされている個人識別標章のみを選択可能にして表示してもよい。そして、利用者が自分の標章を選択すると、電子目次本３０は、この選択された標章に対応する個人識別符号と特定楽曲の楽曲番号と歌唱コンテンストの実施指示の情報とを含む演奏予約コマンドを送信し、確認画面（図１４：２００）を表示して先のトップ画面１２０に画面遷移する。
【００３３】
カラオケ装置１の中央制御部１１は、電子目次本３０から転送されてきた演奏予約コマンドを操作制御部１３を介して受け取ると、そのコマンド中の楽曲番号を待ち行列に登録する際、その楽曲番号に個人識別符号とコンテスト実施指示の有無の情報とを対応付けする。図１５に待ち行列の登録状態を示した。
【００３４】
＝＝＝歌唱コンテストの実施＝＝＝
中央制御部１１は、待ち行列の内容を逐次監視し、コンテスト実施指示がある楽曲については、その楽曲の演奏順番が１位になったときなど適宜な時点でその楽曲番号を含む歌唱コンテンスト情報送付依頼をホスト装置９０に送信する。ホスト装置９０は、この依頼を受け付けると、該当する楽曲についての得点ランキング情報をカラオケ装置１に返送する。カラオケ装置１は、この楽曲の演奏時にホスト装置９０から受け取った得点ランキング情報をディスプレイ１８に表示する。図１６に得点ランキング情報の表示画面２１０を示した。この図では上位１０番目までの得点順位が表示されている。もちろん、スクロール表示するなどして、最終順位まで表示するようにしてもよい。
【００３５】
中央制御部１１は、歌唱コンテスト参加曲の演奏を開始すると、歌唱採点部２３を作動させ、演奏中に逐次計算する経過得点と得点ランキングの各得点とを比較し、経過得点が現在どの順位にあるのかを随時監視する。そして、得点ランキング画面に経過得点が反映されたビットマップ画像を逐次生成し、その生成画面をディスプレイ１８に表示させる。演奏が終わると、最終得点を得点ランキングに反映させ、採点結果として、その最終得点に演奏した楽曲の番号と会員ＩＤとを対応付けしたデータをホスト装置９０に送信する。ホスト装置９０は該当楽曲についての歌唱得点ランキング情報を更新するとともに、この会員のＭＹ ＢＯＸに採点履歴として楽曲番号と最終得点とを対応付けして格納する。
【００３６】
なお、演奏途中で得点が高くなった時点でその演奏を強制終了させたとき、その時点の経過得点が最終得点としてホスト装置９０にアップロードされてしまうと、その経過得点に基づいてランキングが更新されてしまう。これでは、最後まで歌った人に対して不公平となる。そこでカラオケ装置１は、このような不公平が生じないように、演奏が中止された場合、その中止時点以降の採点区間の得点をゼロとして演奏終了時の得点を歌唱中止最終得点として計算し、その歌唱中止最終得点を最終得点として出力するようになっている。また、演奏中は最新の経過得点と歌唱中止最終得点を合わせてディスプレイ１８に表示している。それによって、演奏を中止すると、そのときの経過得点ではなく歌唱中止最終得点が最終得点としてホスト装置９０にアップロードされることを歌唱者に認識させることができる。また、歌唱中止最終得点を表示することで、歌唱者が最後まで歌唱する意欲や挑戦心を持続させることができる。図１７に歌唱コンテストの実施中にディスプレイ１８に表示される得点ランキング画面を示した。この画面２２０では、最新の平均点（経過得点）２２１と歌唱中止最終得点２２２と、各得点（２２１，２２２）に対するランキング（２２３，２２４）も表示されている。
【００３７】
歌唱中止最終得点の計算処理手順としては、中央制御部１１が、歌唱コンテスト参加曲の演奏を開始するのに先立って、音楽伴奏データ中の全歌唱採点区間の数を取得するとともに、演奏処理に並行して採点済みの歌唱採点区間の数と未採点の歌唱採点区間の数とを逐次監視する。そして、未採点の歌唱採点区間の得点を全てゼロとするとともに、最新の平均点に基づいて全歌唱区間に渡る平均点を逐次計算し、その計算結果を歌唱中止最終得点として逐次出力する。具体的には、最新の経過得点に採点済み区間数を乗算し、その乗算値を全採点区間数で除算すればよい。また中央制御部１１は、演奏中止の旨の利用者入力を受けつけると、カラオケデータの処理を中止して演奏を強制終了させるとともに、その中止時点での歌唱中止最終得点を最終得点とした採点結果をホスト装置９０にアップロードする。図１８に演奏終了あるいは演奏中止後に表示される歌唱コンテスト結果画面２３０を示した。演奏終了時、あるいは演奏中止時点でも歌唱中止最終得点が最終得点２３１として表示されるとともに、得点ランキングが該当位置２３２に識別可能にして表示される。
【００３８】
なお、会員以外の利用者も歌唱コンテストに参加できるようにしてもよい。例えば、ランキング情報は会員のものを利用して採点コンテストを実施したり、会員／非会員を問わず、採点結果をホスト装置に送信してホスト装置は全ての採点結果に基づいて得点ランキング情報を作成したりすればよい。会員の採点結果については該当のＭＹ ＢＯＸに格納すればよい。
【００３９】
＝＝＝歌唱中止最終得点の表示＝＝＝
上記実施例では、歌唱コンテストの実施時に経過得点と歌唱中止最終得点とをディスプレイに表示していた。この例に限らず、歌唱採点時には常にこれら二つの得点を表示するようにしてもよい。それによって、歌唱者に最後まで歌いきる意欲を持続させ、カラオケに対する向上心や挑戦心をかき立てることができる。
【図面の簡単な説明】
【００４０】
【図１】本発明の実施例におけるカラオケ採点装置を実装したカラオケ装置を含むネットワーク構成図である。
【図２】上記カラオケ装置の機能ブロック図である。
【図３】上記カラオケ装置に付属する電子目次本の外観図（Ａ）と機能ブロック図（Ｂ）である。
【図４】上記電子目次本に表示されるトップ画面の概略図である。
【図５】上記電子目次本に表示される利用者登録開始画面の概略図である。
【図６】上記電子目次本に表示される撮影画面の概略図である。
【図７】上記電子目次本に表示される文字パレットの概略図である。
【図８】上記電子目次本に表示される利用者登録画面の概略図である。
【図９】上記電子目次本に表示されるＭＹ ＢＯＸサービスメニュー画面の概略図である。
【図１０】上記電子目次本に表示される会員登録案内画面の概略図である。
【図１１】上記電子目次本にて作成されるメンバー表の概略図である。
【図１２】上記電子目次本に表示される詳細情報画面の概略図である。
【図１３】上記詳細情報画面にて演奏予約を受け付ける際の画面概略図である。
【図１４】上記電子目次本に表示される予約確認画面の概略図である。
【図１５】上記カラオケ装置にて管理されている待ち行列の概略図である。
【図１６】上記カラオケ装置にて表示される得点ランキングの概略図である。
【図１７】上記カラオケ装置にて表示される歌唱コンテスト実施中の得点ランキング画面の概略図である
【図１８】上記カラオケ装置にて表示される歌唱コンテスト実施後の得点ランキング画面の概略図である。
【符号の説明】
【００４１】
１  カラオケ装置
１１  中央制御部
１２  ハードディスク装置
１８  ディスプレイ
２３  歌唱採点部
３０  電子目次本
３３  タッチパネル
２２０  歌唱コンテンスト実施中の得点ランキング画面
【図１】
2005134782.tif 000003
【図２】
2005134782.tif 000004
【図３】
2005134782.tif 000005
【図４】
2005134782.tif 000006
【図５】
2005134782.tif 000007
【図６】
2005134782.tif 000008
【図７】
2005134782.tif 000009
【図８】
2005134782.tif 000010
【図９】
2005134782.tif 000011
【図１０】
2005134782.tif 000012
【図１１】
2005134782.tif 000013
【図１２】
2005134782.tif 000014
【図１３】
2005134782.tif 000015
【図１４】
2005134782.tif 000016
【図１５】
2005134782.tif 000017
【図１６】
2005134782.tif 000018
【図１７】
2005134782.tif 000019
【図１８】
2005134782.tif 000020